(57)【要約】【課題】  ２方吹き構造の高所設置型空気調和機において、空気調和機本体の外寸を拡大することなく、熱交換器の面積を拡大して熱交換性能を向上させる。【解決手段】  クロスフローファンを２連用いた２方吹き構造の高所設置型空気調和機において、空気調和機本体の外寸を拡大しないで熱交換器の表面積を増大させる熱交換器の構造として、ハの字状に配置した２組の各熱交換器の下部を、ドレンパン底部との間の隙間を拡大するように所定の角度でくの字状に折り曲げるなどの屈曲構造を採用するか、または、ハの字状の２組の熱交換器の下端部に連設した２組の副熱交換器に対応して副空気吸込口を形成することにより、空気調和機本体の外寸を拡大させることなく、熱交換器面積を拡大させ、かつ低圧損で吸込風量を増大させることができるようにした。【選択図】        図１
2005337571.tif 000002
【特許請求の範囲】
【請求項１】
高所に設置される本体ケーシング（２）と、該本体ケーシング（２）の下面側中央部に設けられた空気吸込口（５）と、該空気吸込口（５）の両側に設けられた空気吹出口（９ａ），（９ｂ）と、スクロール部（３１ａ），（３１ｂ）および舌部（３２ａ），（３２ｂ）間に設けられ、上記空気吸込口（５）から吸込まれた空気を上記空気吹出口（９ａ），（９ｂ）方向に分岐して送風する第１，第２の送風通路（１０ａ），（１０ｂ）と、該第１，第２の送風通路（１０ａ），（１０ｂ）に設けられた第１，第２のファンロータ（３０Ａ），（３０Ｂ）と、該第１，第２のファンロータ（３０Ａ），（３０Ｂ）の上流側にあって、上端側を相互に接近させる一方、下端側を相互に離間させて略ハの字状に設けられた第１，第２の熱交換器（１２Ａ），（１２Ｂ）と、該第１，第２の熱交換器（１２Ａ），（１２Ｂ）の下方に設けられた第１，第２のドレンパンとを備えてなる高所設置型空気調和機において、上記第１，第２の熱交換器（１２Ａ），（１２Ｂ）の下部（Ｓ），（Ｓ）を外方側に曲成し、上記第１，第２のドレンパン（２９Ａ），（２９Ｂ）の底部（ｂ），（ｂ）との間に空気吸込通路を形成したことを特徴とする高所設置型空気調和機。
【請求項２】
曲成された第１，第２の熱交換器（１２Ａ），（１２Ｂ）の下部（Ｓ），（Ｓ）は、その先端が曲成部以下の低い位置にあることを特徴とする請求項１記載の高所設置型空気調和機。
【請求項３】
曲成された第１，第２の熱交換器（１２Ａ），（１２Ｂ）の下部（Ｓ），（Ｓ）は、その先端が曲成部よりも高い位置にあることを特徴とする請求項１記載の高所設置型空気調和機。
【請求項４】
曲成された第１，第２の熱交換器（１２Ａ），（１２Ｂ）の下部（Ｓ），（Ｓ）は、舌部（３２ａ），（３２ｂ）の近傍位置で、第１，第２のドレンパン（２９Ａ），（２９Ｂ）に支持されていることを特徴とする請求項３記載の高所設置型空気調和機。
【請求項５】
曲成された第１，第２の熱交換器（１２Ａ），（１２Ｂ）の下部（Ｓ），（Ｓ）は、上部側本体部（Ｍ），（Ｍ）と別体に分割された構造となっていることを特徴とする請求項１，２，３又は４記載の高所設置型空気調和機。
【請求項６】
曲成された第１，第２の熱交換器（１２Ａ），（１２Ｂ）の下部（Ｓ），（Ｓ）は、上部側本体部（Ｍ），（Ｍ）と同様の多列構造となっていることを特徴とする請求項５記載の高所設置型空気調和機。
【請求項７】
曲成された第１，第２の熱交換器（１２Ａ），（１２Ｂ）の下部（Ｓ），（Ｓ）は、上部側本体部（Ｍ），（Ｍ）よりも伝熱管の列数が少ない構造となっていることを特徴とする請求項５記載の高所設置型空気調和機。
【請求項８】
曲成された第１，第２の熱交換器（１２Ａ），（１２Ｂ）の下部（Ｓ），（Ｓ）の前列側のフィン枚数は、後列側のものよりも少ない構造となっていることを特徴とする請求項６記載の高所設置型空気調和機。
【請求項９】
高所に設置される本体ケーシング（２）と、該本体ケーシング（２）の下面側中央部に設けられた主空気吸込口（５）と、該主空気吸込口（５）の両側に設けられた空気吹出口（９ａ），（９ｂ）と、スクロール部（３１ａ），（３１ｂ）および舌部（３２ａ），（３２ｂ）間に設けられ、上記空気吸込口（５）から吸込まれた空気を上記空気吹出口（９ａ），（９ｂ）方向に分岐して送風する第１，第２の送風通路（１０ａ），（１０ｂ）と、該第１，第２の送風通路（１０ａ），（１０ｂ）に設けられた第１，第２のファンロータ（３０Ａ），（３０Ｂ）と、該第１，第２のファンロータ（３０Ａ），（３０Ｂ）の上流側にあって、上端側を相互に接近させる一方下端側を相互に離間させて略ハの字状に設けられた第１，第２の熱交換器（１２Ａ），（１２Ｂ）と、該第１，第２の熱交換器（１２Ａ），（１２Ｂ）の下方に設けられた第１，第２のドレンパン（２９Ａ），（２９Ｂ）とを備えてなる高所設置型空気調和機において、上記第１，第２の熱交換器（１２Ａ），（１２Ｂ）の下端部から舌部（３２ａ），（３２ｂ）近傍に延びる副熱交換器１２Ｃ，１２Ｄを設ける一方、上記空気吹出口（９ａ），（９ｂ）と上記第１，第２のドレンパン（２９Ａ），（２９Ｂ）との間に副空気吸込口（５ａ），（５ｂ）を設け、該副空気吸込口（５ａ），（５ｂ）から吸込んだ空気を上記副熱交換器（１２Ｃ），（１２Ｄ）を介して上記第１，第２のファンロータ（３０Ａ），（３０Ｂ）に供給するようにしたことを特徴とする高所設置型空気調和機。
【請求項１０】
第１，第２の副熱交換器（１２Ｃ），（１２Ｄ）の伝熱管の列数は、第１，第２の熱交換器（１２Ａ），（１２Ｂ）よりも列数が少ない構造となっていることを特徴とする請求項９記載の高所設置型空気調和機。
【請求項１１】
第１，第２の熱交換器（１２Ａ），（１２Ｂ）の上端側は、相互に当接して一体化されていることを特徴とする請求項１，２，３，４，５，６，７，８，９又は１０記載の高所設置型空気調和機。
【請求項１２】
空気調和機が、天井埋込型空気調和機であることを特徴とする請求項１，２，３，４，５，６，７，８，９，１０又は１１記載の高所設置型空気調和機。
【発明の詳細な説明】
【技術分野】
【０００１】
本願発明は、２方吹き構造の高所設置型の空気調和機の構成に関するものである。
【背景技術】
【０００２】
最近のクロスフローファンを２連用いた２方吹き構造の天井埋込型空気調和機等の高所設置型空気調和機では、第１，第２の２組の直線型熱交換器を、中央部で軸対象にハの字形状に傾斜配置して構成されている（例えば特許文献１参照）。
【０００３】
このようにすると、それまでの垂直配置のものに比べて、その熱交部の長さを長くできる分だけ、熱交換器の表面積を増大させることができる。その一例を図６に示す。
【０００４】
すなわち、図６のものは、同一容量の第１，第２の２組のファンロータ３０Ａ，３０Ｂを用いて２方吹の天井埋込型空気調和機１を構成しており、符号２は、当該天井埋込型空気調和機１のカセット型の本体ケーシングである。該本体ケーシング２は、その下面側の化粧パネル４部分が当該部屋の天井と略同一平面状に連続するようにして、同天井内に埋設されるようになっている。
【０００５】
そして、上記本体ケーシング２の上記化粧パネル４には、図示左右方向中央部に位置して図示前後両端側に延びる細長い空気吸込口５が設けられ、さらに、その内側上方には上記第１，第２のファンロータ３０Ａ，３０Ｂを介して２方向に分かれる第１，第２の送風通路１０ａ，１０ｂが連設されている。また、上記本体ケーシング２の上記化粧パネル４の上記空気吸込口５の左右両側には、温調後の空気を吹き出すための同じく前後両端側方向に延びる所定の幅の第１，第２の空気吹出口９ａ，９ｂが設けられている。
【０００６】
一方、上記第１，第２の送風通路１０ａ，１０ｂは、上記第１，第２の空気吸込口５から、その上方部を経て当該空気吹出口９ａ，９ｂ方向に分かれてスムーズにＵターンする放物面形状のスクロール部を相互に一体化して、それらスクロール部と各々対向する舌部との間に形成されており、該第１，第２の送風通路１０ａ，１０ｂ上流の上記左右両方向への分岐領域（空気吸込口５の上方部）に位置して、上端側が相互に接近し、下端側が相互に離間したハの字状態で、上記第１，第２の各ファンロータ３０Ａ，３０Ｂに対応する第１，第２の熱交換器１２Ａ，１２Ｂが設置されている。
【０００７】
これら第１，第２の各熱交換器１２Ａ，１２Ｂの上記相互に接近した上端側は、所定の連結プレートで連結されている一方、他方相互に離間した下端側は、上記化粧パネル４上の第１，第２のドレンパン２９Ａ，２９Ｂの内側仕切壁ａと舌部側縦壁部ｃとの間の底部ｂ上に固定して支持されている。
【０００８】
そして、その傾斜度合いによって熱交換器の長さを長くし、本体ケーシング２自体の外寸を拡大させることなく、熱交表面積を或る程度拡大させている。
【０００９】
【特許文献１】特開２００１−１２７９０号公報（明細書第１−１３頁、図１）
【発明の開示】
【発明が解決しようとする課題】
【００１０】
しかし、上記従来の構成の場合、空気調和機１本体の外寸を全く拡大させないで、上記以上の更なる熱交換性能の向上を図ることは困難であった。
【００１１】
また、同構成の場合、上記のようにハの字状に傾斜させたことにより、上記第１，第２の熱交換器１２Ａ，１２Ｂと第１，第２のファンロータ３０Ａ，３０Ｂとの間の隙間Ｄ，Ｄが小さくなりすぎ、それら相互の間で干渉音が発生しやすい問題があった。
【００１２】
さらに、上記のように単にハの字状に傾斜させただけの場合、図６の構成からも明らかなように、その下部側は、舌部３２ａ，３２ｂの下方に位置するようになること、またドレンパン２９Ａ，２９Ｂの内側仕切壁ａ，ａが障害となるなどの理由により、本来空気の流通性が悪く、必ずしも有効に熱交換に寄与していない。
【００１３】
つまり、熱交換器表面積の割には、空気吸込領域が狭い欠点がある。また、圧損も高くなる。
【００１４】
本願発明は、このような問題を解決するためになされたもので、略ハの字状に配置した２組の熱交換器の下部を、ドレンパン底部との間の隙間を拡大するように所定の角度で外方側上方に折り曲げるなどの曲成構造を採用するか、または同ハの字状の２組の熱交換器の下端部に対して副熱交換器を組み合わせ、それに対応して副空気吸込口を形成することなどにより、空気調和機本体の外寸を拡大させることなく熱交換器面積を有効に拡大させ、かつ吸込風量をも増大させることができるようにしたクロスフローファンを２連用いた２方吹き構造の高所設置型空気調和機を提供することを目的とするものである。
【課題を解決するための手段】
【００１５】
本願発明は、上記の目的を達成するために、次のような課題解決手段を備えて構成されている。
【００１６】
（１）  第１の課題解決手段
この発明の第１の課題解決手段は、高所に設置される本体ケーシング２と、該本体ケーシング２の下面側中央部に設けられた空気吸込口５と、該空気吸込口５の両側に設けられた空気吹出口９ａ，９ｂと、スクロール部３１ａ，３１ｂおよび舌部３２ａ，３２ｂ間に設けられ、上記空気吸込口５から吸込まれた空気を上記空気吹出口９ａ，９ｂ方向に分岐して送風する第１，第２の送風通路１０ａ，１０ｂと、該第１，第２の送風通路１０ａ，１０ｂに設けられた第１，第２のファンロータ３０Ａ，３０Ｂと、該第１，第２のファンロータ３０Ａ，３０Ｂの上流側にあって、上端側を相互に接近させる一方、下端側を相互に離間させて略ハの字状に設けられた第１，第２の熱交換器１２Ａ，１２Ｂと、該第１，第２の熱交換器１２Ａ，１２Ｂの下方に設けられた第１，第２のドレンパンとを備えてなる高所設置型空気調和機において、上記第１，第２の熱交換器１２Ａ，１２Ｂの下部Ｓ，Ｓを外方側に曲成し、上記第１，第２のドレンパン２９Ａ，２９Ｂの底部ｂ，ｂとの間に空気吸込通路を形成したことを特徴としている。
【００１７】
以上のような構成によると、全体として略ハの字形に配置された第１，第２の熱交換器１２Ａ，１２Ｂの下部Ｓ，Ｓ部分を外方側に曲げ、第１，第２のドレンパン２９Ａ，２９Ｂの底部ｂ，ｂとの間に空気吸込通路を形成したことにより、空気吸込領域を拡大させながら、熱交換器１２Ａ，１２Ｂの表面積を拡大させることができる。
【００１８】
したがって、空気調和機本体ケーシング２の外寸を拡大させることなく、熱交換性能を増大させることができる。
【００１９】
また、上記折り曲げによって上記第１，第２の熱交換器１２Ａ，１２Ｂのハの字形の本体部Ｍ，Ｍ部分の長さが短かくなり、同第１，第２の熱交換器１２Ａ，１２Ｂの本体部Ｍ，Ｍ相互の間の間隔Ｗを小さくすることができる。その結果、第１，第２のファンロータ３０Ａ，３０Ｂと第１，第２の熱交換器１２Ａ，１２Ｂの本体部Ｍ，Ｍとの隙間Ｄ，Ｄが拡大され、それらの間の干渉音が抑制される。
【００２０】
さらに、上記のように第１，第２の熱交換器１２Ａ，１２Ｂの下部Ｓ，Ｓを外方側上方に曲げたことにより、第１，第２のファンロータ３０Ａ，３０Ｂに対して第１，第２の熱交換器１２Ａ，１２Ｂの全体が比較的均一な距離で対応するようになり、第１，第２の熱交換器１２Ａ，１２Ｂの全体を通して風速分布が均一になる。
【００２１】
（２）  第２の課題解決手段
この発明の第２の課題解決手段は、上記第１の課題解決手段の構成において、曲成された第１，第２の熱交換器１２Ａ，１２Ｂの下部Ｓ，Ｓは、その先端が曲成部以下の低い位置にあることを特徴としている。
【００２２】
このような構成の場合、曲成角度が小さくて済むので、製造が容易である。
【００２３】
（３）  第３の課題解決手段
この発明の第３の課題解決手段は、上記第１の課題解決手段の構成において、曲成された第１，第２の熱交換器１２Ａ，１２Ｂの下部Ｓ，Ｓは、その先端が曲成部よりも高い位置にあることを特徴としている。
【００２４】
上記のように第１，第２の熱交換器１２Ａ，１２Ｂの下部Ｓ，Ｓを外方側に曲げ、その先端が曲成部よりも高い位置にあるようにすると、第１，第２のファンロータ３０Ａ，３０Ｂに対して第１，第２の熱交換器１２Ａ，１２Ｂの全体が、より均一な距離で対応するようになり、第１，第２の熱交換器１２Ａ，１２Ｂの全体を通して風速分布が均一になる。
【００２５】
上記構成の場合、特に第１，第２の熱交換器１２Ａ，１２Ｂの下部Ｓ，Ｓ部分が、上記ファンロータ３０Ａ，３０Ｂおよび舌部３２ａ，３２ｂ付近に近くなるから、その分空力性能が改善され、吸込風量が増大する。したがって、この点からも、熱交換性能が向上する。
【００２６】
（４）  第４の課題解決手段
この発明の第４の課題解決手段は、上記第３の課題解決手段の構成において、曲成された第１，第２の熱交換器１２Ａ，１２Ｂの下部Ｓ，Ｓは、舌部３２ａ，３２ｂの近傍位置で、第１，第２のドレンパン２９Ａ，２９Ｂに支持されていることを特徴としている。
【００２７】
上記のように第１，第２の熱交換器１２Ａ，１２Ｂの下部Ｓ，Ｓを外方側に曲げ、水平位置よりも高い舌部３２ａ，３２ｂ近傍位置でドレンパン２９Ａ，２９Ｂに支持させると、第１，第２のファンロータ３０Ａ，３０Ｂに対して第１，第２の熱交換器１２Ａ，１２Ｂの全体が、より一層均一な距離で対応するようになり、第１，第２の熱交換器１２Ａ，１２Ｂの全体を通して、より風速分布が均一になる。
【００２８】
上記構成の場合、特に第１，第２の熱交換器１２Ａ，１２Ｂの下部Ｓ，Ｓ部分が、上記ファンロータ３０Ａ，３０Ｂと舌部３２ａ，３２ｂに近付くから、より有効に空力性能が改善され、さらに吸込風量が増大する。したがって、この点からも、より熱交換性能が有効に向上する。
【００２９】
（５）  第５の課題解決手段
この発明の第５の課題解決手段は、上記第１，第２，第３又は第４の課題解決手段の構成において、曲成された第１，第２の熱交換器１２Ａ，１２Ｂの下部Ｓ，Ｓは、上部側本体部Ｍ，Ｍと別体に分割された構造となっていることを特徴としている。
【００３０】
曲成角が大きくなると、一体の熱交換器を曲げ加工することは困難である。
【００３１】
したがって、第１，第２の熱交換器１２Ａ，１２Ｂの下部Ｓ，Ｓは、上部側本体部Ｍ，Ｍと別体に分割された構造として、伝熱管同士を連結するようにし、任意の曲成角に対応できるようにする。
【００３２】
また、そのようにすると、同下部Ｓ，Ｓ部分の伝熱管の列数を減らしたり、フィン枚数を減らしたりして、空気流入圧損を調節するのに好都合となる。
【００３３】
（６）  第６の課題解決手段
この発明の第６の課題解決手段は、上記第５の課題解決手段の構成において、曲成された第１，第２の熱交換器１２Ａ，１２Ｂの下部Ｓ，Ｓは、上部側本体部Ｍ，Ｍと同様の多列構造となっていることを特徴としている。
【００３４】
上述の各手段の構成によると、全体として略ハの字形に配置された第１，第２の熱交換器１２Ａ，１２Ｂの各々の下部Ｓ，Ｓ部分を外方側上方に曲げたことにより、ドレンパン２９Ａ，２９Ｂの底部ｂ，ｂとの間の隙間を大きくすることができ、空気吸込領域を拡大させながら、有効に熱交換器１２Ａ，１２Ｂの表面積を拡大させることができる。
【００３５】
したがって、空気調和機本体ケーシング２の外寸を拡大させることなく、熱交換性能を増大させることができる。
【００３６】
したがって、第１，第２の熱交換器１２Ａ，１２Ｂの曲成された下部Ｓ，Ｓ部分は、上部側本体Ｍ，Ｍ部分と同様の多列構造の場合にも、必要な吸込風量を確保することができる。
【００３７】
（７）  第７の課題解決手段
この発明の第７の課題解決手段は、上記第５の課題解決手段の構成において、曲成された第１，第２の熱交換器１２Ａ，１２Ｂの下部Ｓ，Ｓは、上部側本体部Ｍ，Ｍよりも伝熱管の列数が少ない構造となっていることを特徴としている。
【００３８】
上述の各手段の構成によると、全体として略ハの字形に配置された第１，第２の熱交換器１２Ａ，１２Ｂの各々の下部Ｓ，Ｓ部分を外方側上方に曲げたことにより、ドレンパン２９Ａ，２９Ｂの底部ｂ，ｂとの間の隙間を大きくすることができ、空気吸込領域を拡大させながら、熱交換器１２Ａ，１２Ｂの表面積を拡大させることができる。
【００３９】
したがって、空気調和機本体ケーシング２の外寸を拡大させることなく、熱交換性能を増大させることができる。
【００４０】
しかし、上記曲成した下部Ｓ，Ｓ部分は、本来ドレンパン２９Ａ，２９Ｂの内壁の影響で風速分布が悪い。
【００４１】
そこで、同下部Ｓ，Ｓ部分の熱交換器を複数列に分割し、その列数を減らすことにより、熱交換器部への空気の流入圧損を低減させて流入風量を増大させ、それによってトータルの熱交換性能を向上させる。
【００４２】
（８）  第８の課題解決手段
この発明の第８の課題解決手段は、上記第６の課題解決手段の構成において、曲成された第１，第２の熱交換器１２Ａ，１２Ｂの下部Ｓ，Ｓの前列側のフィン枚数は、後列側のものよりも少ない構造となっていることを特徴としている。
【００４３】
上述の各手段の構成によると、全体として略ハの字形に配置された第１，第２の熱交換器１２Ａ，１２Ｂの各々の下部Ｓ，Ｓ部分を外方側上方に曲げたことにより、ドレンパン２９Ａ，２９Ｂの底部ｂ，ｂとの間の隙間を大きくすることができ、空気吸込領域を拡大させながら、熱交換器１２Ａ，１２Ｂの表面積を拡大させることができる。
【００４４】
したがって、空気調和機本体ケーシング２の外寸を拡大させることなく、熱交換性能を増大させることができる。
【００４５】
しかし、上記曲成した下部Ｓ，Ｓ部分は、本来ドレンパン２９Ａ，２９Ｂの内壁の影響で風速分布が悪い。
【００４６】
そこで、同下部Ｓ，Ｓ部分の熱交換器については、そのフィン枚数を減らすことにより、熱交換器部への空気の流入圧損を低減させて流入風量を増大させ、それによってトータルの熱交換性能を向上させる。
【００４７】
（９）  第９の課題解決手段
この発明の第９の課題解決手段は、高所に設置される本体ケーシング２と、該本体ケーシング２の下面側中央部に設けられた主空気吸込口５と、該主空気吸込口５の両側に設けられた空気吹出口９ａ，９ｂと、スクロール部３１ａ，３１ｂおよび舌部３２ａ，３２ｂ間に設けられ、上記空気吸込口５から吸込まれた空気を上記空気吹出口９ａ，９ｂ方向に分岐して送風する第１，第２の送風通路１０ａ，１０ｂと、該第１，第２の送風通路１０ａ，１０ｂに設けられた第１，第２のファンロータ３０Ａ，３０Ｂと、該第１，第２のファンロータ３０Ａ，３０Ｂの上流側にあって、上端側を相互に接近させる一方下端側を相互に離間させて略ハの字状に設けられた第１，第２の熱交換器１２Ａ，１２Ｂと、該第１，第２の熱交換器１２Ａ，１２Ｂの下方に設けられた第１，第２のドレンパン２９Ａ，２９Ｂとを備えてなる高所設置型空気調和機において、上記第１，第２の熱交換器１２Ａ，１２Ｂの下端部から舌部３２ａ，３２ｂ近傍に延びる副熱交換器１２Ｃ，１２Ｄを設ける一方、上記空気吹出口９ａ，９ｂと上記第１，第２のドレンパン２９Ａ，２９Ｂとの間に副空気吸込口５ａ，５ｂを設け、該副空気吸込口５ａ，５ｂから吸込んだ空気を上記副熱交換器１２Ｃ，１２Ｄを介して上記第１，第２のファンロータ３０Ａ，３０Ｂに供給するようにしたことを特徴としている。
【００４８】
以上のような構成によると、全体として略ハの字形に配置された第１，第２の熱交換器１２Ａ，１２Ｂの下端部から舌部３２ａ，３２ｂ近傍に延びる副熱交換器１２Ｃ，１２Ｄの存在と同副熱交換器１２Ｃ，１２Ｄに対応して設けられた副空気吸込口５ａ，５ｂにより、空気吸込領域を拡大させながら、熱交換器トータルの表面積を拡大させることができる。
【００４９】
したがって、空気調和機本体ケーシング２の外寸を拡大させることなく、熱交換性能を増大させることができる。
【００５０】
また、同構成の場合、上記第１，第２の副熱交換器１２Ｃ，１２Ｄと第１，第２のファンロータ３０Ａ，３０Ｂの舌部３２ａ，３２ｂ側との間の間隔を大きくすることができる。その結果、第１，第２のファンロータ３０Ａ，３０Ｂと第１，第２の副熱交換器１２Ｃ，１２Ｄとの間の干渉音が抑制される。
【００５１】
（１０）  第１０の課題解決手段
この発明の第１０の課題解決手段は、上記第９の課題解決手段の構成において、第１，第２の副熱交換器１２Ｃ，１２Ｄの伝熱管の列数は、第１，第２の熱交換器１２Ａ，１２Ｂよりも列数が少ない構造となっていることを特徴としている。
【００５２】
上述の第９の課題解決手段の構成によると、全体として略ハの字形に配置された第１，第２の熱交換器１２Ａ，１２Ｂとは別に副熱交換器１２Ｃ，１２Ｄを設ける一方、それに対応した副空気吸込口５ａ，５ｂを設けることによって、空気吸込領域を拡大させながら、圧損の上昇を招くことなくトータルとして熱交換器の表面積を拡大させるようにしている。
【００５３】
したがって、空気調和機本体ケーシング２の外寸を拡大させることなく、有効に熱交換性能を増大させることができる。
【００５４】
しかし、いかに副空気吸込口５ａ，５ｂを有するとは言え、上記副熱交換器１２Ｃ，１２Ｄの設置部は、本来ドレンパン２９Ａ，２９Ｂの外方側にある仕切壁Ｃ1の影響で風速分布が悪い。
【００５５】
そこで、例えば同第１，第２の副熱交換器１２Ｃ，１２Ｄを複数列に分割し、その列数を減らすことにより、第１，第２の副熱交換器１２Ｃ，１２Ｄ部分への空気の流入圧損を低減させて流入風量を増大させ、それによって熱交換器トータルの熱交換性能を向上させる。
【００５６】
（１１）  第１１の課題解決手段
この発明の第１１の課題解決手段は、上記第１，第２，第３，第４，第５，第６，第７，第８，第９又は第１０の課題解決手段の構成において、第１，第２の熱交換器１２Ａ，１２Ｂの上端側は、相互に当接一体化されていることを特徴としている。
【００５７】
このように、略ハの字形に傾斜配置された第１，第２の熱交換器１２Ａ，１２Ｂの上端側を相互に当接一体化させると、より傾斜角が大きくなり、第１，第２のファンロータ３０Ａ，３０Ｂとの間隔Ｄ，Ｄが拡大され、相互の干渉音が抑制されるとともに、その長さ自体を長くすることができるので、より熱交換器の表面積を大きくすることが可能になる。
【００５８】
また、離れている場合のような特別な連結部材が不要になり、その分コストダウンが図られる。
【００５９】
（１２）  第１２の課題解決手段
この発明の第１２の課題解決手段は、上記第１，第２，第３，第４，第５，第６，第７，第８，第９，第１０又は第１１の課題解決手段の構成において、空気調和機が天井埋込型空気調和機であることを特徴としている。
【００６０】
上記第１，第２，第３，第４，第５，第６，第７，第８，第９，第１０又は第１１の課題解決手段によれば、ハの字状に配置した２組の各熱交換器の下部を、ドレンパン底部との間の隙間を拡大するように所定の角度で外方側に折り曲げ、また同ハの字状の２組の熱交換器の下端部に対して副熱交換器を組み合わせ、それに対応して副空気吸込口を形成することにより、空気調和機本体の外寸を拡大させることなく熱交換器面積を拡大させ、かつ吸込風量をも増大させることができる。
【００６１】
したがって、天井内に設置され、特に本体ケーシング２の薄型化、コンパクト化が求められる天井埋込型の空気調和機にとって有効なものとなる。
【発明の効果】
【００６２】
以上の結果、本願発明によると、熱交換性能が向上し、同一風量の下において可及的に機内圧損を小さくすることができる。したがって、送風ファンの回転数、送風音、軸動力をも可及的に低減することができる。
【発明を実施するための最良の形態】
【００６３】
＜最良の実施の形態１＞
先ず図１は、本願発明の最良の実施の形態１に係る高所設置型空気調和機の構成を示している。
【００６４】
この実施の形態のものは、高所設置型空気調和機の一例として、例えばクロスフローファンを２連用いた２方吹きタイプの天井埋込型空気調和機が採用されており、同空気調和機において、空気調和機本体の外寸を拡大することなく、熱交換器１２Ａ，１２Ｂの表面積を増大させることができるようにしたものであって、２連の各ファンロータ３０Ａ，３０Ｂに対応して全体として略ハの字状に設置された熱交換器１２Ａ，１２Ｂ各々の下部Ｓ，Ｓ部分を所定の角度で外方側上方にくの字状に折り曲げ、その先端部を舌部３２ａ，３２ｂを形成しているドレンパン２９Ａ，２９Ｂの外方側縦壁部Ｃの水平位置よりも下部に固定することによって、熱交換器１２Ａ，１２Ｂのトータルの長さを長くして熱交面積を拡大する一方、同熱交換器１２Ａ，１２Ｂの下部Ｓ，Ｓとドレンパン２９Ａ，２９Ｂの底部ｂ，ｂとの間の隙間を広くすることによって吸込領域を拡大し、かつ上記折り曲げによって熱交換器１２Ａ，１２Ｂのハの字形の本体部Ｍ，Ｍ部分の長さを短かくし、同熱交換器本体部Ｍ，Ｍ相互の間の間隔Ｗを小さくすることができるようにすることによって、ファンロータ３０Ａ，３０Ｂと熱交換器１２Ａ，１２Ｂの本体部Ｍ，Ｍとの隙間Ｄ，Ｄを拡大し、それらの間の干渉音を抑制し得るようにしたことを特徴とするものである。
【００６５】
すなわち、この実施の形態のものでは、同一容量の第１，第２の２組のファンロータ３０Ａ，３０Ｂを用いて２方吹の天井埋込型空気調和機１を構成しており、符号２は、当該天井埋込型空気調和機１のカセット型の本体ケーシングである。該本体ケーシング２は、その下面側の化粧パネル４部分が当該部屋の天井と略同一平面状に連続するようにして、同天井内に埋設されるようになっている。
【００６６】
そして、上記本体ケーシング２の上記化粧パネル４には、図示左右方向中央部に位置して図示前後両端側に延びる細長い空気吸込口５が設けられ、さらに、その内側上方には上記左右２組の第１，第２のファンロータ３０Ａ，３０Ｂを介して２方向に分かれる第１，第２の温調用送風通路１０ａ，１０ｂが連設されている。また、上記本体ケーシング２の上記化粧パネル４の上記空気吸込口５の左右両側には、温調用の空気を吹き出すための同じく前後両端側方向に延びる所定の幅の第１，第２の空気吹出口９ａ，９ｂが設けられている。
【００６７】
一方、上記第１，第２の送風通路１０ａ，１０ｂは、上記空気吸込口５から、その上方部を経て当該空気吹出口９ａ，９ｂ方向に分かれてスムーズにＵターンする放物面形状のスクロール部３１ａ，３１ｂを相互に一体化して、それらスクロール部３１ａ，３１ｂと各々対向する舌部３２ａ，３２ｂとの間に形成されており、該第１，第２の送風通路１０ａ，１０ｂ上流の上記左右両方向への分岐領域（空気吸込口５の上方部）に位置して、上端側が相互に接近し、下端側が相互に離間した略ハの字状態で、上記第１，第２の各クロスフローファン３０Ａ，３０Ｂに対応する本実施の形態における第１，第２の熱交換器１２Ａ，１２Ｂが設置されている。
【００６８】
これら第１，第２の各熱交換器１２Ａ，１２Ｂの上記相互に接近した上端側は、所定の連結プレートで連結されている一方、他方相互に離間した下部Ｓ，Ｓ側は、次に述べるようにして、上記化粧パネル４上のドレンパン２９Ａ，２９Ｂの舌部３２ａ，３２ｂ側縦壁部Ｃの下部テーパー面に対して固定することによって支持されている。
【００６９】
すなわち、この実施の形態の場合、上記全体として略ハの字状の熱交換器１２Ａ，１２Ｂは、その下部Ｓ，Ｓ部分を、上記ドレンパン２９Ａ，２９Ｂの底部ｂ，ｂとの間の隙間を十分に広く拡大するように所定の角度θで外方側上方にくの字状に折り曲げられている。
【００７０】
そして、それによって、本体ケーシング２自体の外寸を拡大させることなく、その熱交表面積を有効に拡大させて、上記舌部３２ａ，３２ｂおよび空気吹出口９ａ，９ｂを形成している縦壁部Ｃの下部テーパー面に支持させる一方、同下部Ｓ部分を特に前後２列の２組の熱交換器Ｓ1，Ｓ2により構成している。
【００７１】
その結果、図示のように第１，第２の熱交換器１２Ａ，１２Ｂの下部Ｓ，Ｓとドレンパン２９Ａ，２９Ｂの底部ｂ，ｂとの間の隙間（空気吸込通路）が広く拡大して、流入圧損が低下し、同下部Ｓ，Ｓ部分への通風量が十分に増加する（図１中の矢印仮想線参照）。また、ファンロータ３０Ａ，３０Ｂとの距離Ｄも拡大して、干渉音が抑制される。
【００７２】
したがって、該構成の場合、例えば冷房又は暖房運転時において、送風手段である第１，第２の各クロスフローファン３０Ａ，３０Ｂが駆動されると、上記熱交面積が大きく、しかも空気吸込領域の広い第１，第２の熱交換器１２Ａ，１２Ｂを介して低圧損で均一かつ効果的に熱交換された温調空気（冷気又は暖気）が、前後両方の空気吹出口９ａ，９ｂから水平方向に吹き出され、それらが対流によって次第に下方に降下して行くことによってユーザーに対する快適な冷房又は暖房空調環境が実現される。
【００７３】
以上のような構成によると、全体として略ハの字形に配置された第１，第２の２組の熱交換器１２Ａ，１２Ｂの各々の下部Ｓ，Ｓ部分を外方側上方にくの字形に曲げたことにより、ドレンパン２９Ａ，２９Ｂの底部ｂ，ｂとの間の隙間を大きくすることができ、空気吸込領域を拡大させながら、有効に第１，第２の熱交換器１２Ａ，１２Ｂの表面積を拡大させることができる。したがって、空気調和機本体ケーシング２の外寸を拡大させることなく、熱交換性能を増大させることができる。
【００７４】
また、くの字形に曲げた下部Ｓ，Ｓ部分は、本来ドレンパン２９Ａ，２９Ｂの内壁ａ，ａの影響で風速分布が悪い。そこで、同下部Ｓ，Ｓ部分の熱交換器を複数列（Ｓ1，Ｓ2の２列）に分割し、その最前列側（上流側）の熱交換器Ｓ1部分のフィン数を減らすか、またはフィン無し部として熱交換器部への空気の流入圧損を低減させて流入風量を増大させ、それによってトータルの熱交換性能を向上させる。
【００７５】
また、以上のように、全体として略ハの字形に配置された第１，第２の２組の熱交換器１２Ａ，１２Ｂの各々の下部Ｓ，Ｓ部分を外方側上方にくの字形に曲げると、図示のように、従来の直線部に相当する熱交換器上部の本体部Ｍ，Ｍ部分と第１，第２のファンロータ３０Ａ，３０Ｂとの間の距離Ｄ，Ｄを拡大させることができ、従来のような干渉音の発生を可及的に低減することができる。
【００７６】
さらに、第１，第２の熱交換器１２Ａ，１２Ｂをくの字状に曲げたことにより、第１，第２のファンロータ３０Ａ，３０Ｂに対して第１，第２の熱交換器１２Ａ，１２Ｂの全体が比較的均一な距離で対応するようになり、第１，第２の熱交換器１２Ａ，１２Ｂの全体を通して風速分布が均一になる。上記構成の場合、特に第１，第２の熱交換器１２Ａ，１２Ｂの下部Ｓ，Ｓ部分が、上記折り曲げにより第１，第２のファンロータ３０Ａ，３０Ｂおよび舌部３２ａ，３２ｂ付近に近付くから、その分空力性能が改善され、吸込風量が増大する。したがって、この点からも、熱交換性能が向上する。
【００７７】
以上の結果、上記構成によると、熱交換性能が向上し、同一風量の下において可及的に機内圧損を小さくすることができる。したがって、送風ファンの回転数、送風音、軸動力をも可及的に低減することができる。
【００７８】
また、以上の場合、例えばハの字状に配置された第１，第２の熱交換器１２Ａ，１２Ｂの下部側はそのままにしておいて、上部側のみを垂直な状態になるように外方側に折り曲げてくの字状にすることも考えられる。
【００７９】
しかし、そのような構成の場合、第１，第２のファンロータ３０Ａ，３０Ｂに対して第１，第２の熱交換器１２Ａ，１２Ｂの全体が比較的均一な距離で接近するようになり、熱交換器全体の風速分布を均一にする点ではメリットがあるとしても、先に従来例の課題として述べた第１，第２の熱交換器１２Ａ，１２Ｂの下部側の空気流通性能の改善、熱交換性能の向上には何等寄与しない。
【００８０】
（変形例）
なお、この実施の形態の場合、さらに上記左右の第１，第２の熱交換器１２Ａ，１２Ｂの中間に、例えば図２に示すように仕切板７を入れ、空気吸込口５から空気吹出口９ａ，９ｂまでの送風通路を各クロスフローファンに対応した独立の吸気送風通路に形成することもできる。
【００８１】
このような構成によれば、上記各熱交換器１２Ａ，１２Ｂ相互の間に設けた仕切板７により、各熱交換器１２Ａ，１２Ｂ相互間の空間部に吸込まれる空気が左右２方向に均等に分流されるので、各熱交換器１２Ａ，１２Ｂに流入する空気の流れがスムーズになる。
【００８２】
その結果、全体として各々くの字形に形成される第１，第２の熱交換器１２Ａ，１２Ｂの各凹部空間面側にあって可及的均一に熱交換器の熱交換面に対応する第１，第２のファンロータ３０Ａ，３０Ｂに吸入される吸込空気の流入風速が可及的に均一になり、第１，第２の熱交換器１２Ａ，１２Ｂ全体の風速分布も均一になるので、さらに熱交換効率が向上する。
【００８３】
＜最良の実施の形態２＞
次に図３は、本願発明の最良の実施の形態２に係る高所設置型空気調和機の構成を示している。
【００８４】
この実施の形態のものは、上記実施の形態１のものと同様のファンロータを２連用いた２方吹きタイプの天井埋込型空気調和機１において、空気調和機本体の外寸を拡大することなく、第１，第２の熱交換器１２Ａ，１２Ｂの熱交表面積を増大させることができるようにしたものであって、２連の第１，第２の各ファンロータ３０Ａ，３０Ｂに対応して全体として略ハの字状に設置された第１，第２の熱交換器１２Ａ，１２Ｂの各々の下部Ｓ，Ｓ部分を、上記実施の形態１における所定の角度以上の角度θで外方側上方に、より大きくくの字状に折り曲げ、その先端部を水平位置よりも高い上記縦壁部Ｃ上端部の舌部３２ａ，３２ｂ付近に臨ませて固定することによって、ドレンパン２９Ａ，２９Ｂの底部ｂ，ｂとの間の隙間（空気吸込通路）を上記実施の形態１の場合よりも遥かに大きく拡大し、かつ第１，第２の熱交換器１２Ａ，１２Ｂ相互の間の間隔Ｗを同様に小さくすることによって第１，第２のファンロータ３０Ａ，３０Ｂと第１，第２の熱交換器１２Ａ，１２Ｂの本体部Ｍ，Ｍとの隙間Ｄ，Ｄをも拡大したことを特徴とするものである。
【００８５】
その他の部分の構成は、上述の実施の形態１のものと全く同様であり、同様の作用を奏する。
【００８６】
このような構成によると、略ハの字形の第１，第２の熱交換器１２Ａ，１２Ｂが全体として略Ｗ字形に近くなり、その分全体として吸込面積を減少させることなく、熱交換器表面積を増大させることができる。
【００８７】
しかも、同構成では、第１，第２の各熱交換器１２Ａ，１２Ｂの下部Ｓ，Ｓ部分を上記実施の形態１のものに比べて遥かに大きく外方側上方に折り曲げてクロスフローファンの舌部３２ａ，３２ｂの近傍（直下）まで接近させた状態でドレンパン２９Ａ，２９Ｂの外方側縦壁部（舌部および空気吹出口形成壁）Ｃの上部に支持させている。
【００８８】
したがって、上記第１，第２の熱交換器１２Ａ，１２Ｂの下部Ｓ，Ｓ部分とドレンパン２９Ａ，２９Ｂの底部ｂ，ｂとの間の隙間（空気吸込通路）は、上記実施の形態１の場合よりも遥かに大きく拡大され、第１，第２の熱交換器１２Ａ，１２Ｂの下部Ｓ，Ｓ部分への空気の流入圧損が大きく低減され、吸込風量が有効に増大する。
【００８９】
また、同くの字形に曲げた下部Ｓ，Ｓ部分は、すでに述べたように本来ドレンパン２９Ａ，２９Ｂの内側仕切部ａの影響で風速分布が悪い。そこで、同下部Ｓ，Ｓ部分の熱交換器を複数列（Ｓ1，Ｓ2の２列）に分割し、その最前列側（最上流側）の熱交換器Ｓ1部分のフィン数を減らすか、またはフィン無し部として熱交換器Ｓ1，Ｓ2部分への空気の流入圧損を、さらに低減させることによって吸込風量を増大させ、それによってトータルの熱交換性能を、より一層向上させるようにしている。
【００９０】
この場合、また同下部Ｓ，Ｓ部分の熱交換器の列数を本体部Ｍ，Ｍ側の列数よりも少なくするようにして、さらに空気の流入圧損を低減するようにしてもよい。
【００９１】
そして、それらの各場合において、上記のように同下部Ｓ，Ｓ部分が舌部３２ａ，３２ｂに臨んで設けられていると、空力性能が改善されて第１，第２のファンロータ３０Ａ，３０Ｂの吸込力が、より有効に作用するようになるので、一層風量がアップする。
【００９２】
また、以上のように、全体として略ハの字形に配置された第１，第２の熱交換器１２Ａ，１２Ｂの下部Ｓ，Ｓ部分をくの字形に曲げると、図示のように、従来の直線部に相当する熱交換器本体部（上部部分）Ｍ，Ｍ相互の間の間隔Ｗを小さくすることができ、同本体部Ｍ，Ｍととファンロータ３０Ａ，３０Ｂとの間の距離Ｄ，Ｄを逆に拡大させることができるので、従来のような干渉音の発生を可及的に低減することができる。
【００９３】
（変形例）
なお、この実施の形態の場合にも、上記実施の形態１の場合と同様に、上記第１，第２の左右の熱交換器１２Ａ，１２Ｂの中間に、例えば図４に示すように仕切板７を入れ、空気吸込口５から空気吹出口９ａ，９ｂまでの送風通路を各クロスフローファンに対応した独立の吸気送風通路に形成することもできる。
【００９４】
このような構成によれば、上記同様に各熱交換器１２Ａ，１２Ｂ相互の中間に設けた仕切板７により、各熱交換器１２Ａ，１２Ｂ相互間の空間部に吸込まれる空気が左右２方向に均等に分流されるので、各熱交換器１２Ａ，１２Ｂに流入する空気の流れがよりスムーズになる。
【００９５】
その結果、全体としてくの字形に形成される第１，第２の熱交換器１２Ａ，１２Ｂの凹部空間面側にあって可及的均一に熱交換器の熱交換面に対応する第１，第２のファンロータ３０Ａ，３０Ｂに吸入される吸込空気の流入風速が可及的に均一になり、第１，第２の熱交換器１２Ａ，１２Ｂ全体の風速分布も均一になるので、さらに熱交換効率が向上する。
【００９６】
＜最良の実施の形態３＞
次に図５は、本願発明の最良の実施の形態３に係る高所設置型空気調和機の構成を示している。
【００９７】
この実施の形態のものは、上記実施の形態１，２のものと同様のファンロータを２連用いた２方吹きタイプの天井埋込型空気調和機１において、空気調和機本体の外寸を拡大することなく、第１，第２の熱交換器１２Ａ，１２Ｂの表面積を増大させることができるようにしたものではあるが、２連の各ファンロータ３０Ａ，３０Ｂに対応して全体として略ハの字状に設置された第１，第２の熱交換器１２Ａ，１２Ｂの上端部を相互に当接させることによって逆Ｖ字状に閉じ、より大きく内側に傾けることによって第１，第２のファンロータ３０Ａ，３０Ｂから離すとともに、その長さを可及的に長くすることによって熱交面積を拡大し、さらにそれらの各下端部外側に副熱交換器１２Ｃ，１２Ｄを付加して、その先端部を舌部３２ａ，３２ｂ付近に臨ませて固定することにより、全体としてＷ字形の熱交換器とし、しかも各副熱交換器１２Ｃ，１２Ｄ部分を中央の主空気吸込口５とは別に設けた副空気吸込口５ａ，５ｂに対応させることによって、熱交換器表面積を拡大しながら、それに対応して空気吸込面積をも増大させて機内圧損を可及的に低減したことを特徴とするものである。
【００９８】
すなわち、この実施の形態では、一例として同一容量の第１，第２の左右２組のクロスフローファン（ファンロータ３０Ａ，３０Ｂ）を用いて２方吹の天井埋込型空気調和機１を構成しており、符号２は、当該天井埋込型空気調和機１のカセット型の本体ケーシングである。該本体ケーシング２は、その下面側の化粧パネル４部分が当該部屋の天井と略同一平面状に連続するようにして、同天井内に埋設されるようになっている。
【００９９】
そして、上記本体ケーシング２の上記化粧パネル４には、図示左右方向（紙面左右方向）中央部に位置して図示前後方向（紙面垂直方向）両端側に延びる細長い主空気吸込口（および主空気吸込口通路５）が設けられ、さらに、その内側上方には上記左右２組の第１，第２のクロスフローファンのファンロータ３０Ａ，３０Ｂを介して２方向に分かれる第１，第２の送風通路１０ａ，１０ｂが連設されている。また、上記本体ケーシング２の上記化粧パネル４の上記主空気吸込口５の左右両側には、温調用の空気を吹き出すための同じく前後方向両端側に延びる所定の幅の第１，第２の空気吹出口（および空気吹出通路）９ａ，９ｂが設けられている。
【０１００】
そして、この実施の形態の場合、上記第１，第２のファンロータ３０Ａ，３０Ｂへの空気吸込口（および空気吸込通路）は、上記化粧パネル４中央の第１，第２のファンロータ３０Ａ，３０Ｂへの主空気吸込口（および主空気吸込通路）５と、さらに該主空気吸込口（および主空気吸込通路）５の左右両側の空気吹出口（および空気吹出通路）９ａ，９ｂとの間の副空気吸込口（および副空気吸込通路）５ａ，５ｂとの２組のものからなっている。
【０１０１】
主空気吸込口（および主空気吸込通路）５は、上記化粧パネル４上の第１，第２のドレンパン２９Ａ，２９Ｂの内側の仕切壁ａ，ａ間に、また副空気吸込口（および副空気吸込通路）５ａ，５ｂは、舌部および空気吹出通路等形成用の縦壁部Ｃ2と第１，第２のドレンパン２９Ａ，２９Ｂの外方側仕切壁Ｃ1との間にあって上記舌部３２ａ，３２ｂの空気吸込口方向に緩かにカーブして形成されている。
【０１０２】
一方、上記第１，第２の送風通路１０ａ，１０ｂは、グリル部Ｇおよびフィルタ部Ｆを介した上記主空気吸込口（および主空気吸込通路）５から、またグリル部Ｇ1およびフィルタ部Ｆ1を介した副空気吸込口（および副空気吸込通路）５ａ，５ｂから、各々その上方空間部を経て上記空気吹出口（および空気吹出通路）９ａ，９ｂ方向にＹ形に分かれてスムーズにＵターンする放物面形状のスクロール部３１ａ，３１ｂを相互に一体化して、それらスクロール部３１ａ，３１ｂと各々対向する舌部３２ａ，３２ｂとの間に形成されている。
【０１０３】
そして、該第１，第２の送風通路１０ａ，１０ｂ上流の上記左右両方向への分岐領域に位置して、上端側が相互に当接一体化されている一方、下端側が所定の傾斜角で相互に外方側に離間した傾斜角の大きなハの字状態（逆Ｖの字状態）で、上記第１，第２の各クロスフローファンの第１，第２のファンロータ３０Ａ，３０Ｂに対応する第１，第２の熱交換器１２Ａ，１２Ｂが設置されている。
【０１０４】
これら第１，第２の各熱交換器１２Ａ，１２Ｂには、同ハの字状の熱交換器本体の下端部から、さらに外方側上方にＶの字状に所定の角度θで折り曲げられた状態で付加され、その先端が上記舌部３２ａ，３２ｂ近傍に延びる副熱交換器１２Ｃ，１２Ｄが連設されている。この副熱交換器１２Ｃ，１２Ｄは、例えば上記第１，第２の熱交換器１２Ａ，１２Ｂとは独立に分割され、その伝熱管列数を１／２の列数に形成することによって、空気の流入圧損を大きく低減するようにしている。
【０１０５】
そして、それら第１，第２の熱交換器１２Ａ，１２Ｂと副熱交換器１２Ｃ，１２Ｄの上記相互に連結された下端側は、上記化粧パネル４上の第１，第２のドレンパン２９Ａ，２９Ｂの副空気吹出口（および副空気吸込通路）５ａ，５ｂを形成する外方側の仕切壁Ｃ1と主空気吸込口（および主空気吸込通路）５側仕切壁ａとの間のドレンパン底部（溝部）ｂ上に支持されている。
【０１０６】
また上記副熱交換器１２Ｃ，１２Ｄの先端は、上記副空気吹出口（および副空気吸込通路）５ａ，５ｂの下流域を経て上記舌部３２ａ，３２ｂおよび空気吸込口（および副空気吸込通路）５ａ，５ｂを形成している縦壁部Ｃ1の空気吸込口側の舌部３２ａ，３２ｂ近傍（直下）に当接固定されており、副空気吸込口（および副空気吸込通路）５ａ，５ｂを介して吸込んだ空気を低圧損で効率良く第１，第２のファンロータ３０Ａ，３０Ｂに吸込ませることによって、効率良く熱交換させるようになっている。
【０１０７】
したがって、該構成の場合、例えば冷房又は暖房運転時において、送風手段である第１，第２のクロスフローファンの第１，第２のファンロータ３０Ａ，３０Ｂが駆動されると、上記全体としてＷ字形の熱交面積の大きな第１，第２の熱交換器１２Ａ，１２Ｂおよび第１，第２の副熱交換器１２Ｃ，１２Ｄを介して効果的に熱交換された温調空気（冷気又は暖気）が左右両方の空気吹出口９ａ，９ｂから水平方向に吹き出され、それらが次第に下方に降下して行くことによってユーザーに対する快適な冷房又は暖房空調環境が実現される。
【０１０８】
以上のような構成によると、全体として略ハの字形に配置された第１，第２の熱交換器１２Ａ，１２Ｂの下端部から舌部３２ａ，３２ｂ近傍に延びる副熱交換器１２Ｃ，１２Ｄの存在と同副熱交換器１２Ｃ，１２Ｄに対応して設けられた副空気吸込口５ａ，５ｂにより、空気吸込領域を拡大させながら、熱交換器トータルの表面積を拡大させることができる。
【０１０９】
したがって、空気調和機本体ケーシング２の外寸を拡大させることなく、熱交換性能を増大させることができる。
【０１１０】
また、同構成の場合、上記第１，第２の副熱交換器１２Ｃ，１２Ｄと第１，第２のファンロータ３０Ａ，３０Ｂの舌部３２ａ，３２ｂ側との間の間隔（対向角）を大きくすることができる。その結果、第１，第２のファンロータ３０Ａ，３０Ｂと第１，第２の副熱交換器１２Ｃ，１２Ｄとの間の干渉音が抑制される。
【０１１１】
（変形例）
なお、この実施の形態の場合にも、上記実施の形態１，２の場合と同様に、上記第１，第２の左右の熱交換器１２Ａ，１２Ｂの中間に、仕切板７を入れ、空気吸込口５から空気吹出口９ａ，９ｂまでの送風通路を各クロスフローファンに対応した独立の吸気送風通路に形成することもできる。
【０１１２】
このような構成によれば、上記同様に各熱交換器１２Ａ，１２Ｂ相互の中間に設けた仕切板７により、各熱交換器１２Ａ，１２Ｂ相互間の空間部に吸込まれる空気が左右２方向に均等に分流されるので、各熱交換器１２Ａ，１２Ｂに流入する空気の流れがよりスムーズになる。
【０１１３】
その結果、第１，第２のファンロータ３０Ａ，３０Ｂに吸入される吸込空気の流入風速が可及的に均一になり、第１，第２の熱交換器１２Ａ，１２Ｂおよび第１，第２の副熱交換器１２Ｃ，１２Ｄ全体の風速分布も均一になるので、さらに熱交換効率が向上する。
【０１１４】
（他の最良の実施の形態）
なお、上記最良の実施の形態３の構成のように、ハの字形に傾斜配置された第１，第２の熱交換器１２Ａ，１２Ｂの上端側を相互に当接一体化させると、より傾斜角が大きくなり、第１，第２のファンロータ３０Ａ，３０Ｂとの間隔Ｄ，Ｄが拡大され、相互の干渉音が抑制されるとともに、その長さ自体を長くすることができるので、より熱交換器の表面積を大きくすることが可能になる。
【０１１５】
また、離れている場合のような特別な連結部材が不要になり、その分製品のコストダウンが図られる。
【０１１６】
したがって、この構成は、例えば上記最良の実施の形態１および２のものに対して適用しても全く同様の作用効果を得ることができる。
【０１１７】
さらに、以上の各実施の形態では、何れの場合にあっても、高所設置型空気調和機の一例として、天井埋込型のものを採用したが、これは例えば天井吊り下げ型のものであってもよいことは言うまでもない。
【図面の簡単な説明】
【０１１８】
【図１】本願発明の最良の実施の形態１に係る高所設置型空気調和機の構成を示す断面図である。
【図２】本願発明の最良の実施の形態１の変形例に係る高所設置型空気調和機の構成を示す断面図である。
【図３】本願発明の最良の実施の形態２に係る高所設置型空気調和機の構成を示す断面図である。
【図４】本願発明の最良の実施の形態２の変形例に係る高所設置型空気調和機の構成を示す断面図である。
【図５】本願発明の最良の実施の形態３に係る高所設置型空気調和機の構成を示す断面図である。
【図６】従来例に係る高所設置型空気調和機の構成を示す断面図である。
【符号の説明】
【０１１９】
１は天井埋込型空気調和機、２は本体ケーシング、３は天井、４は化粧パネル、５は空気吸込口（主空気吸込口）、５ａ，５ｂは副空気吸込口、７は仕切板、１０ａ，１０ｂは第１，第２の送風通路、９ａ，９ｂは空気吹出口、１２Ａ，１２Ｂは第１，第２の熱交換器、３０Ａ，３０Ｂは第１，第２のファンロータ、Ｍは熱交換器本体部、Ｓは熱交換器下部である。
【図１】
2005337571.tif 000003
【図２】
2005337571.tif 000004
【図３】
2005337571.tif 000005
【図４】
2005337571.tif 000006
【図５】
2005337571.tif 000007
【図６】
2005337571.tif 000008